(57)【要約】【課題】縦置きと横置きなどの角度の異なる複数の姿勢で設置することが可能で、しかも、複数の姿勢のいずれで設置しても、植栽床材に潅水された植栽用水が外部に漏水し難い植栽容器を提供する。【解決手段】吸水性の植栽床材３０を収納可能な内箱３と、内箱３に外嵌される外箱１０とを備え、外箱１０は、内箱３に収納された植栽床材３０を露出させる開口部１１Ａを有する正面部１１と、内箱３を受け入れるべく正面部１１から後方に延びた筒状部１２とを備え、内箱３は植栽用水を貯留可能な貯水部として、筒状部１２の内周面に沿って互いに連通するように隣接配置された複数の貯水部６Ｈ，６Ｖを備えている。【選択図】図１
2014093966.tif 000002
【特許請求の範囲】
【請求項１】
吸水性の植栽床材を収納可能な内箱と、前記内箱に外嵌される外箱とを備え、
前記外箱は、前記内箱に収納された前記植栽床材を露出させる開口部を有する正面部と、前記内箱を受け入れるべく前記正面部から後方に延びた筒状部とを備え、
前記内箱は、植栽用水を貯留可能な貯水部として、前記筒状部の内周面に沿って互いに連通するように隣接配置された複数の前記貯水部を備えている植栽容器。
【請求項２】
前記貯水部または前記植栽床材に植栽用水を注水するための潅水孔が前記筒状部に貫通形成されている請求項１に記載の植栽容器。
【請求項３】
前記潅水孔から注入された植栽用水が前記外箱の内面を伝って移動することを規制する水流制御片が前記筒状部の内周面に設けられている請求項２に記載の植栽容器。
【請求項４】
前記水流制御片は前記筒状部の内周面から前記筒状部の径方向内側に向かって延びた案内面を備えている請求項３に記載の植栽容器。
【請求項５】
前記案内面が前記植栽床材の外周面と当接する部位を有する請求項４に記載の植栽容器。
【請求項６】
前記潅水孔として、複数の前記貯水部の各々と対向するように前記筒状部の周方向に沿って隣接配置された少なくとも２つの潅水孔を含み、前記水流制御片が前記２つの潅水孔の間で前記２つの潅水孔の各軸芯の双方に対して傾斜して延びた板状部位を有する請求項３から５のいずれか一項に記載の植栽容器。
【請求項７】
前記開口部の上縁となる部位の少なくとも一部に沿って後方に突出形成されたリブ状の水流制御片が設けられている請求項１から６のいずれか一項に記載の植栽容器。
【請求項８】
前記外箱の前記貯水部に対応する部位に前記貯水部における水位を確認するための水位確認窓が設けられており、前記内箱の少なくとも前記水位確認窓に対応する箇所が透明状または半透明状に形成されている請求項１から７のいずれか一項に記載の植栽容器。
【請求項９】
前記正面部が矩形の外形を備えており、複数の前記貯水部が互いに直交する２つの貯水部で構成されている請求項１から８のいずれか一項に記載の植栽容器。
【請求項１０】
前記２つの貯水部を構成すべく互いに連続した前記内箱の２つの底面における前記筒状部の周方向に沿った両端から径方向内側に延びた側壁部が、前記正面部の各辺に対して径方向外向きに傾斜して設けられている請求項９に記載の植栽容器。
【請求項１１】
前記内箱が、前記植栽床材を挟んで前記外箱の前記正面部と後方から対向することで、前記植栽床材を前記筒状部の内側に閉じ込める閉鎖板部を備えている請求項１から１０のいずれか一項に記載の植栽容器。
【発明の詳細な説明】
【技術分野】
【０００１】
本発明は、吸水性の植栽床材を収納可能な内箱と、内箱に収納された植栽床材を露出可能な状態で内箱に外嵌される外箱とを有する植栽容器に関する。
【背景技術】
【０００２】
この種の植栽容器に関連する先行技術文献情報として下記に示す特許文献１がある。この特許文献１に記された植栽容器では、矩形筒状の内箱（ベースユニット）に植栽床材（植生ユニット）を入れ、その内箱の正面から額縁状の外箱（嵌め込み式フレーム）を外嵌させることで、内箱または植栽床材に植え付けた植物が外箱の正面に設けられた窓状の開口部から露出した状態で植物を飾ることができる。
【先行技術文献】
【特許文献】
【０００３】
【特許文献１】特開２０１２−１１５２２６号公報（００４４段落、図２、図３）
【発明の概要】
【発明が解決しようとする課題】
【０００４】
しかし、特許文献１に記された植栽容器では、縦置きと横置きという具合に角度の異なる複数の姿勢で設置することは可能であるが、既に植物を植え付けた状態で外部から植栽床材に潅水しようとすると、植栽用水が内箱と外箱の間などから漏水する虞があった。
【０００５】
尚、特許文献１では、別の実施形態として、植栽用水を貯留可能な貯水部を備えた矩形の箱（フレーム）を用いる構成も記されているが、この形態では箱を縦置きから横置きに変更した場合には貯水部が存続しない構成であった。
【課題を解決するための手段】
【０００６】
そこで、本発明の目的は、上に例示した従来技術が与える課題に鑑み、例えば縦置きと横置きという具合に角度の異なる複数の姿勢で設置することが可能で、しかも、複数の姿勢のいずれで設置しても、植栽床材に潅水された植栽用水が外部に漏水する虞のない植栽容器を提供することにある。
【０００７】
本発明による植栽容器の特徴構成は、
吸水性の植栽床材を収納可能な内箱と、前記内箱に外嵌される外箱とを備え、
前記外箱は、前記内箱に収納された前記植栽床材を露出させる開口部を有する正面部と、前記内箱を受け入れるべく前記正面部から後方に延びた筒状部とを備え、
前記内箱は、植栽用水を貯留可能な貯水部として、前記筒状部の内周面に沿って互いに連通するように隣接配置された複数の前記貯水部を備えている点にある。
【０００８】
上記の特徴構成を備えた植栽容器では、外箱の正面部には植栽床材を露出させる開口部が設けられているので、植栽床材を収納した内箱に外箱を外嵌させ、植栽床材に植物を植え付ければ、植物を外箱のフレーム状の正面部によって額縁状に縁取られた状態で展示することができる。また、内箱は、筒状部の内周面に沿って隣接配置された複数の貯水部を備えているので、植栽容器を展示する際の設置角度を、一方の貯水部が下方に配置される設置角度と、他方の貯水部が下方に配置される設置角度との間で変更することができ、しかも、いずれの設置角度で展示する場合も、対応する側の貯水部が貯水部として本来の機能を果たすので、既に植物を植え付けた状態で外部から植栽床材に潅水しても植栽用水が植栽容器の一部から漏れ出たりすることもなく、植物の健全な育成、栽培が可能となる。
【０００９】
本発明の他の特徴構成は、前記貯水部または前記植栽床材に植栽用水を注水するための潅水孔が前記筒状部に貫通形成されている点にある。
【００１０】
本発明による植栽容器の植栽床材に植え付けられた植物に日常的に潅水する方法としては、植物の種類によっては正面部の開口部に露出された植栽床材の部位に霧吹きなどで直接潅水することでも植物を栽培または健全な状態に維持することが可能であるが、本構成であれば、細口のジョーロなどを用いて潅水孔から内箱の内部または植栽床材に十分な量の植栽用水を注水することができるので、特に植物の水分管理を行い易い。
【００１１】
本発明の他の特徴構成は、前記潅水孔から注水された植栽用水が前記外箱の内面を伝って移動することを規制する水流制御片が前記筒状部の内周面に設けられている点にある。
【００１２】
本構成であれば、潅水孔から潅水した植栽用水がもしも外箱の内面を伝って移動しようとしても、同移動は少なくとも水流制御片の設置された箇所で抑制されるため、そのような移動に基づいて植栽用水が植栽容器の外に流れ出るなどの事態が生じ難くなり、使い易い植栽容器が得られる。
【００１３】
本発明の他の特徴構成は、前記水流制御片は前記筒状部の内周面から前記筒状部の径方向内側に向かって延びた案内面を備える点にある。
【００１４】
本構成であれば、潅水孔から注入された植栽用水が仮に潅水孔下の空中を下方に落下せず、潅水孔の縁部に流れても、同植栽用水は自重により水流制御片の案内面に沿って筒状部の径方向内側に向かって伝い流れることで、外箱の内面から遠ざかるため、外箱の内面を伝って長く移動することが更に確実に防止される。
【００１５】
本発明の他の特徴構成は、前記案内面が前記植栽床材の外周面と当接する部位を有する点にある。
【００１６】
本構成であれば、もしも潅水孔から注入された植栽用水が潅水孔の縁部に流れて、外箱の内面を伝い始めても、同植栽用水は水流制御片の案内面に沿って最終的に植栽床材の上面付近に移動するので、植栽用水が外箱の内面を伝って移動することなく、植栽床材への潅水が円滑に行われる。
【００１７】
本発明の他の特徴構成は、前記潅水孔として、複数の前記貯水部の各々と対向するように前記筒状部の周方向に沿って隣接配置された少なくとも２つの潅水孔を含み、前記水流制御片が前記２つの潅水孔の間で前記２つの潅水孔の各軸芯の双方に対して傾斜して延びた板状部位を有する点にある。
【００１８】
本構成であれば、水流制御片が単一の水流制御片でありながら、２つの潅水孔のいずれから植栽用水が潅水された場合でも、板状部位によって筒状部の径方向内側に向かって案内されるので、植栽用水が植栽容器の外に流れ出るなどの事態が更に確実に抑制される。
【００１９】
本発明の他の特徴構成は、前記開口部の上縁となる部位の少なくとも一部に沿って後方に突出形成されたリブ状の水流制御片が設けられている点にある。
【００２０】
本構成であれば、万一潅水孔から注入された植栽用水が正面部の裏面を伝って流下した場合でも、同植栽用水が開口部から正面部の外側に流れ出ることをリブ状の水流制御片によって阻止できる。
【００２１】
本発明の他の特徴構成は、前記外箱の前記貯水部に対応する部位に前記貯水部における水位を確認するための水位確認窓が設けられており、前記内箱の少なくとも前記水位確認窓に対応する箇所が透明状または半透明状に形成されている点にある。
【００２２】
本構成であれば、内箱の透明状または半透明状の壁面と水位確認窓を通して、貯水部にある植栽用水の水面が見えるので、貯水部における植栽用水の水位を植栽容器の外部から簡単に確認でき、植物が潅水不足となる、或いは、内箱の縁から植栽用水がオーバーフローするなどの事態となり難い。
【００２３】
本発明の他の特徴構成は、前記正面部が矩形の外形を備えており、複数の前記貯水部が互いに直交する２つの貯水部で構成されている点にある。
【００２４】
本発明に係る植栽容器は、正面部の外形が五角形以上の多角形や円形、楕円形などを呈する形態でも実施可能であるが、特に本構成であれば、複数の植栽容器どうしを上下に積み重ねて展示するなどの使用法が簡単にできる。
【００２５】
本発明の他の特徴構成は、前記２つの貯水部を構成すべく互いに連続した前記内箱の２つの底面における前記筒状部の周方向に沿った両端から径方向内側に延びた側壁部が、前記正面部の各辺に対して径方向外向きに傾斜して設けられている点にある。
【００２６】
仮に、２つの貯水部を構成すべく互いに連続した内箱の２つの底面における筒状部の周方向に沿った両端から径方向内側に延びた側壁部が正面部の各辺に対して直角に延びている構成であれば、植栽床材を同側壁部と緩衝することなく内箱に対して出し入れできるように、植栽床材の寸法を内箱の内径よりも十分に小さくしておく必要が生じ、植栽床材に蓄積可能な植栽用水の量も少なくなるため、植物を栽培する上で不利となり易い。しかし、本構成のように、側壁部が正面部の各辺に対して径方向外向きに傾斜して設けられていれば、内箱の内径と比較的近似した大きめの植栽床材でも、側壁部と緩衝する懸念なく内箱に対して出し入れし易いので、結果的に、植栽床材に十分な量の植栽用水を蓄積可能となり一般の植物を栽培する上で有利となる。
【００２７】
また、本構成であれば、内箱の傾斜した側壁部と外箱との間に、使用者が手指などを差し込むことの可能な２つの凹部が対角線状に形成されるので、これらの凹部を手懸りとして内箱を外箱に対して出し入れし易くなる。
【００２８】
本発明の他の特徴構成は、前記内箱が、前記植栽床材を挟んで前記外箱の前記正面部と後方から対向することで、前記植栽床材を前記筒状部の内側に閉じ込める閉鎖板部を備えている点にある。
【００２９】
もしも、内箱に収納された植栽床材が外箱の筒状部の後端付近で外部に露出していると、植栽床材に含まれる水分が植栽床材の背面部から蒸発することで、植栽床材が乾燥し易くなるため、特に常時水分を必要とする植物を栽培する場合には頻繁に潅水を行う必要が生じる。しかし、本構成であれば、植栽床材を包囲する空間が閉鎖板部によって背面側から閉じられているので、植栽床材に含まれる水分が筒状部に露出した植栽床材の背面部から蒸発する現象が抑制される。その結果、植栽床材が長期に亘って適切な湿度に保持され易くなるため、特に常時水分を必要とする植物を栽培する場合でも植物の管理を行い易くなる。
【図面の簡単な説明】
【００３０】
【図１】本発明に係る植栽容器を正面側から見た外観斜視図である。
【図２】横置き姿勢における植栽容器を裏面側から見た斜視図である。
【図３】縦置き姿勢における植栽容器を裏面側から見た斜視図である。
【図４】植栽装置を構成する植栽容器と植栽床材との分解斜視図である。
【図５】植栽容器を構成する内箱の主に外観を示す斜視図である。
【図６】横置き姿勢における植栽容器の破断側面図である。
【図７】横置き姿勢における水流制御片の作用を示す正面図である。
【図８】縦置き姿勢における水流制御片の作用を示す正面図である。
【図９】縦置き姿勢における別実施形態による水流制御片の作用を示す正面図である。
【発明を実施するための形態】
【００３１】
以下に本発明を実施するための形態について図面を参照しながら説明する。
図１に示す植栽装置１は、本発明に係る植栽容器２と、植栽容器２に収納された吸水性の植栽床材３０とで構成されており、植栽容器２は、植栽床材３０を収納可能な内箱３と、内箱３に外嵌される外箱１０とを備え、外箱１０は外形が長方形の正面部１１を有する。
【００３２】
この植栽装置１は、筒状部１２が備える平面状の外周面を利用することで、外箱１０を構成する正面部１１の長辺が底辺となる横置き姿勢（図１の左下に示す）と、正面部１１の短辺が底辺となる縦置き姿勢（図２の右上に示す）とのいずれでも、机上などの面に安定した状態で設置することができる。
【００３３】
（外箱の構成）
外箱１０は、長方形（矩形の一例）の外形を備えた正面部１１と、正面部１１の外周から後方に延びた筒状部１２とを備える。
ここで、植栽装置１を裏面側から見た図２に示すように、筒状部１２を構成する４つの矩形の板状要素の全てと平行に延びる線分を植栽容器２の軸芯Ｘとしておく。
【００３４】
筒状部１２の後方端部は内箱３を後方側から概して軸芯Ｘ方向に沿って受け入れるべく開放されており、正面部１１には、内箱３に収納された植栽床材３０の一部を正面側に露出させるための長方形の開口部１１Ａが形成されている。
【００３５】
外箱１０と内箱３と植栽床材３０を分解した状態を示す図３に示すように、外箱１０の筒状部１２を構成する４つの矩形の板状要素のうち、横置き姿勢に際して下方に配置されるものを第１壁部１２Ａ、横置き姿勢に際して上方に配置されるものを第２壁部１２Ｂ、縦置き姿勢に際して下方に配置されるものを第３壁部１２Ｃ、及び、縦置き姿勢に際して上方に配置されるものを第４壁部１２Ｄとしておく。
【００３６】
（潅水孔の構成）
内箱３に収納されている植栽床材３０に対して外部から潅水するための手段として、横置き姿勢において上方に配置される第２壁部１２Ｂの右端付近には、横置き姿勢に際して用いる第１潅水孔１３Ａが貫通形成され、縦置き姿勢において上方に配置される第４壁部１２Ｄの左端付近には、縦置き姿勢に際して用いる第２潅水孔１３Ｂが貫通形成されている。第１潅水孔１３Ａと第２潅水孔１３Ｂとは、筒状部１２の周方向に沿って、筒状部１２が有する４つの角部のうちの１つを挟むように互いに隣接配置されている。
【００３７】
（内箱の構成）
図４に示すように、内箱３は、内箱３に外箱１０を外嵌させた状態で、筒状部１２の第１壁部１２Ａに沿って水平に延びることで、植栽容器２を横置き姿勢にした際に底面として機能する矩形の第１底面部４Ａと、筒状部１２の第３壁部１２Ｃに沿って水平に延びることで、植栽容器２を縦置き姿勢にした際に底面として機能する矩形の第２底面部４Ｂとを有する。
【００３８】
また、内箱３は、第１底面部４Ａと第２底面部４Ｂとの前方側の端面から径方向内側に向かって延びた第１側壁部４Ｃと、第１底面部４Ａと第２底面部４Ｂとの後方側の端面から径方向内側に向かって延びた第２側壁部４Ｄとを有する。
【００３９】
第１側壁部４Ｃは外箱１０の正面部１１の裏面に沿って延びており、第２側壁部４Ｄは、内箱３に収納された植栽床材３０を間に挟むように、第１側壁部４Ｃと平行に延びている。
第１側壁部４Ｃは、植栽床材３０の正面中央に設けられた植え付け部３０Ａを迂回するように概してＬ字状を呈している。
【００４０】
内箱３に外箱１０を外嵌した状態では、内箱３のＬ字状の第１側壁部４Ｃの径方向内側寄りの部位が、正面部１１の開口部１１Ａから径方向内側寄りに露出した状態となる。
図６に示すように、内箱３の後方の第２側壁部４Ｄは、植栽床材３０を挟んで外箱の正面部１１と後方から対向することで、内箱３内の植栽床材３０を筒状部１２の内側に閉じ込める閉鎖板部の役目を果たしている。
【００４１】
内箱３は、さらに、第１底面部４Ａの周方向における端部から径方向内側に延びた矩形の第３側壁部４Ｅと、第２底面部４Ｂの周方向における端部から径方向内側に延びた矩形の第４側壁部４Ｆとを有する。
【００４２】
第３側壁部４Ｅは、植栽容器２を縦置き姿勢にした際に、第１側壁部４Ｃの上端となる部位を第２側壁部４Ｄと接続するように延びており、第４側壁部４Ｆは、植栽容器２を横置き姿勢にした際に、第１側壁部４Ｃの上端となる部位を第２側壁部４Ｄと接続するように延びている。
【００４３】
内箱３の第２側壁部４Ｄには、壁面に取り付けたフック（不図示）などを係入させるための係止凹部８Ａ，８Ｂが貫通形成されている。係止凹部８Ａ，８Ｂは横置き用の係止凹部８Ａと縦置き用の係止凹部８Ｂとからなるので、この場合も、植栽装置１（植栽容器２）を横置きと縦置きとのいずれの姿勢でも展示することができる。
【００４４】
筒状部１２の周方向に沿った両端から径方向内側に延びた側壁部、すなわち、第３側壁部４Ｅと第４側壁部４Ｆとは、正面部１１の各辺に対して径方向外向きに傾斜して設けられている。図では傾斜角度は約４５°として示されているが、３０°〜６０°の範囲から適宜選択できる。
【００４５】
（植栽床材の構成）
植栽床材３０はウレタンと粉砕された木屑などの混合物を成形したブロック状を呈しており、そのブロックのほぼ全体に均一に水分と空気をバランスよく保持でき、且つ、根の生育に必要な空気が保たれ易い。図４に例示するように、植栽床材３０には植物の苗などを植え付けるための２つの植栽用貫通孔Ｈ３０Ａが横置き姿勢において左右に並ぶように形成されている。
【００４６】
図４に示すように、内箱３に設置された植栽床材３０を正面から見たときに、植栽床材３０の四隅には円弧状のコーナー部Ｃ１，Ｃ２，Ｃ３，Ｃ４が形成されている。各コーナー部Ｃ１，Ｃ２，Ｃ３，Ｃ４の曲率半径は、植栽床材３０を内箱３の内面形状になるべく合わせ、かつ、植栽床材３０が各水流制御片７Ａ，７Ｂ，７Ｃ，７Ｄと干渉し難いように設定されている。
【００４７】
すなわち、内箱３の第１貯水部６Ｈと第２貯水部６Ｖとの交差する部位（共有部位ＣＳ）に配置されるコーナー部Ｃ１の曲率半径Ｒ１と、コーナー部Ｃ１の対角線上にあるコーナー部Ｃ２の曲率半径Ｒ２と、第１貯水部６Ｈの第３側壁部４Ｅ付近に配置されるコーナー部Ｃ３の曲率半径Ｒ３と、第２貯水部６Ｖの第４側壁部４Ｆ付近に配置されるコーナー部Ｃ４の曲率半径Ｒ４との間には概して（Ｒ１＝Ｒ２＜Ｒ３＜Ｒ４）という関係が設けられている。
【００４８】
図４に示すように、植栽床材３０の正面の一部には、植栽床材３０の内箱３への正しい設置向きを示すための矢印状の指標３１Ａ，３１Ｂが浅く陥没形成されている。指標３１Ａ，３１Ｂは、横置き姿勢に際して下向きとなる第１指標３１Ａと、縦置き姿勢に際して下向きとなる第２指標３１Ｂとであり、いずれも内箱３の第１貯水部６Ｈと第２貯水部６Ｖとの交差する部位（共有部位ＣＳ）に対応して設けられている。
【００４９】
（貯水部の構成）
図１から図４に示すように、内箱３には、植栽用水Ｗを貯留可能な貯水部として、横置き姿勢に際して用いる第１貯水部６Ｈと、縦置き姿勢に際して用いる第２貯水部６Ｖという２つの貯水部が設けられている。
【００５０】
内箱３に外箱１０を外嵌させると、第１貯水部６Ｈは横置き姿勢に際して下方に配置される第１壁部１２Ａに沿って延び、且つ、横置き姿勢に際して下向きとなる第１潅水孔１３Ａと対向した状態となり、第２貯水部６Ｖは縦置き姿勢に際して下方に配置される第３壁部１２Ｃに沿って延びて、且つ、縦置き姿勢に際して下向きとなる第２潅水孔１３Ｂと対向した状態となる。
【００５１】
したがって、横置き姿勢において第１潅水孔１３Ａから潅水された余分な植栽用水Ｗは第１貯水部６Ｈに貯留され、縦置き姿勢において第２潅水孔１３Ｂから潅水された余分な植栽用水Ｗは第２貯水部６Ｖに貯留される。
【００５２】
図４から理解されるように、横置き姿勢用の第１貯水部６Ｈでは、第１底面部４Ａが底面として機能し、底面の四辺から立設した側面として機能するのは、第３側壁部４Ｅ、第３側壁部４Ｅと横方向で対向する第２底面部４Ｂの部位、Ｌ字状の第１側壁部４Ｃの長辺側、及び、Ｌ字状の第１側壁部４Ｃの長辺側と前後方向で対向する第２側壁部４Ｄの部位である。
【００５３】
縦置き姿勢用の第２貯水部６Ｖでは、第２底面部４Ｂが底面として機能し、底面の四辺から立設した側面として機能するのは、第４側壁部４Ｆ、第４側壁部４Ｆと横方向で対向する第１底面部４Ａの部位、Ｌ字状の第１側壁部４Ｃの短辺側、及び、Ｌ字状の第１側壁部４Ｃの短辺側と前後方向で対向する第２側壁部４Ｄの部位である。
【００５４】
第１貯水部４Ａと第２貯水部４Ｂとは、互いに内箱３の隅部に直方体状の共有部分ＣＳを有することで、互いに連通するように直交しており、内箱３に外箱１０を外嵌させた状態では、筒状部１２の内周面に沿って隣接配置されている。
【００５５】
（水流制御片の構成）
図２、図３及び図７、図８に示すように、筒状部１２の内周面には、第１潅水孔１３Ａや第２潅水孔１３Ｂから注入された植栽用水Ｗが植栽容器２内において流れる方向を制御するための複数の水流制御片７Ａ，７Ｂ，７Ｃ，７Ｄが設けられている。
【００５６】
水流制御片は、筒状部１２の内周面における第１潅水孔１３Ａと第２潅水孔１３Ｂとの間の部位から径方向内側に延出された第１水流制御片７Ａと、横置き姿勢において上方に配置される第２壁部１２Ｂの内面における、第１潅水孔１３Ａから第１水流制御片７Ａと反対側に離間した位置から径方向内側に延出された第２水流制御片７Ｂと、縦置き姿勢において上方に配置される第４壁部１２Ｄの内面における、第２潅水孔１３Ｂから第１水流制御片７Ａと反対側に離間した位置から径方向内側に延出された第３水流制御片７Ｃと、外箱１０の筒状部１２ではなく正面部１１の裏面から後方に延出された第４水流制御片７Ｄと、横置き姿勢及び縦置き姿勢において開口部１１Ａの上縁となる部位の少なくとも一部に沿って後方に比較的低いリブ状に突出形成された第５水流制御片７Ｅである。
【００５７】
これらの水流制御片のうちで、第１、第２、第３の水流制御片７Ａ，７Ｂ，７Ｃは、筒状部１２の内周面から径方向内側に向かって延びた案内面を備えることで、もしも第１潅水孔１３Ａまたは第２潅水孔１３Ｂから注入された植栽用水Ｗが筒状部１２の内面を周方向に伝って移動した場合に、この移動を一定の位置で堰き止め、径方向内側に案内する。その結果、移動する植栽用水Ｗが最終的に正面部１１の開口部１１Ａや筒状部１２の後端などから外に漏れ出ることが規制される。
【００５８】
上記の３つの水流制御片７Ａ，７Ｂ，７Ｃの中で、第１水流制御片７Ａは最も延出長が短いが、２つの潅水孔１３Ａ，１３Ｂの間で潅水孔１３Ａ，１３Ｂの各軸芯の双方に対して略同等に傾斜して延びた板状を呈している。その結果、第１水流制御片７Ａは単体でありながら、横置き姿勢において第１潅水孔１３Ａから注入された植栽用水Ｗが第２壁部１２Ｂの内面を伝って第４壁部１２Ｄに至ることを規制すると同時に、縦置き姿勢において第２潅水孔１３Ｂから注入された植栽用水Ｗが第４壁部１２Ｄの内面を伝って第２壁部１２Ｂの内面を自由に流れ降りる現象を制御することができる。
【００５９】
図７及び図８に示すように、第１水流制御片７Ａは、第２壁部１２Ｂの内面における第１潅水孔１３Ａよりも第４壁部１２Ｄ寄りの部位から概して第４壁部１２Ｄと平行に延びた基端側部位と、この基端側部位から軸芯Ｘ付近に向かって斜めに延びた先端側部位とを備える。
【００６０】
第１、第２、第３の水流制御片７Ａ，７Ｂ，７Ｃの各前方側の端部は正面部１１の裏面と一体成形されている。また、第１、第２、第３の水流制御片７Ａ，７Ｂ，７Ｃを構成する湾曲した板状部材の両面は、軸芯Ｘと平行に延出された二次元形状を有するので、外箱１０を樹脂の射出成形によって容易に製造することが可能となる。
【００６１】
第４水流制御片７Ｄを構成する湾曲した板状部材の両面も軸芯Ｘと平行に延出された二次元形状を有する。第４水流制御片７Ｄは、植栽床材３０の不用意な移動を規制する働きと、第１潅水孔１３Ａや第２潅水孔１３Ｂから勢いよく注入された植栽用水Ｗが植栽床材３０によって第１潅水孔１３Ａや第２潅水孔１３Ｂの側に跳ね返される現象を抑制する働きをする。
【００６２】
第２、第３の水流制御片７Ｂ，７Ｃは、概して外箱１０の筒状部１２よりも更に外側に中心を持つ円弧状に延びており、その中間部に相当する最も内径寄りの案内面は、少なくとも植栽床材３０が植栽用水Ｗによって膨潤した状態では、植栽床材３０の外周面と当接するように構成されている。
【００６３】
第２、第３の水流制御片７Ｂ，７Ｃの径方向内側を向いた面は植栽用水Ｗを案内面として機能し、植栽用水Ｗはこの植栽床材３０と当接する部位を介して、確実に植栽床材３０に供給される。また、この第２、第３の水流制御片７Ｂ，７Ｃの植栽床材３０と当接する部位は径方向外側に中心を持つ円弧状を呈しているので、膨潤した植栽床材３０が押付けられても植栽床材３０が損傷される懸念は少ない。
【００６４】
第２、第３の水流制御片７Ｂ，７Ｃの湾曲部の先端からは、短い直線状の補助延長部７Ｂｅ，７Ｃｅが近接した筒状部１２と概して平行に延びている。すなわち、第２水流制御片７Ｂに設けられた補助延長部７Ｂｅは筒状部１２の第２壁部１２Ｂと概して平行に延び、第３水流制御片７Ｃに設けられた補助延長部７Ｃｅは筒状部１２の第３壁部１２Ｃと概して平行に延びている。
【００６５】
第２水流制御片７Ｂに設けられた補助延長部７Ｂｅは、主に縦置き姿勢に際して、第２水流制御片７Ｂを勢いよく流下してきた植栽用水Ｗが、第２壁部１２Ｂの内面寄りに移動することを阻止して真下に落下させる役目を果たす。同様に、第３水流制御片７Ｃに設けられた補助延長部７Ｃｅは、主に横置き姿勢に際して、第３水流制御片７Ｃを勢いよく流下してきた植栽用水Ｗが、第３壁部１２Ｃの内面寄りに移動することを阻止して真下に落下させる役目を果たす。
【００６６】
図６、図７及び図８に示すように、第５水流制御片７Ｅは、開口部１１Ａのうちで横置き姿勢において上縁となる部位と、縦置き姿勢において上縁となる部位との大半に沿ってＬ字状に延びており、開口部１１Ａから後方にリブ状に突出形成されている。
【００６７】
第１潅水孔１３Ａや第２潅水孔１３Ｂから注入されて正面部１１の裏面を伝って下方に流下した植栽用水Ｗは大半が植栽床材３０によって吸水されるが、もしも植栽床材３０が吸水し切れない場合でも、植栽用水Ｗが開口部から正面部の外側に流れ出ることはリブ状の第５水流制御片７Ｅによって阻止される。
【００６８】
また、図７及び図８に示すように、Ｌ字状に延びた第５水流制御片７Ｅは、内箱３の第１側壁部４Ｃの手前で途切れて２つの端部を形成しているが、これらの端部には径方向外側に向かって比較的短い補助延長部７Ｅｐ，７Ｅｑが一体形成されている。したがって、第５水流制御片７Ｅと正面部１１の裏面の境界付近を伝って流れた植栽用水Ｗが第５水流制御片７Ｅの端部から正面部の外側に流れ出ることは補助延長部７Ｅｐ，７Ｅｑによって阻止される。
【００６９】
尚、水流制御片７Ａ，７Ｂ，７Ｃ，７Ｄの後端面は互いに共同して１つの仮想平面を形成しており、内箱３に外箱１０を外嵌した際に、水流制御片７Ａ，７Ｂ，７Ｃ，７Ｄの各後端面が同時に内箱３の第２側壁部４Ｄの内面と当接されることで、第２側壁部４Ｄが外箱１０の内部に入り込み過ぎることを防止する。
【００７０】
図７及び図８から理解されるように、内箱３の第３側壁部４Ｅと第４側壁部４Ｆとは、正面部１１の各辺に対して径方向外向きに傾斜して設けられているので、植栽床材３０の出し入れが行い易く、植栽床材３０が損傷され難い。また、外嵌された外箱１０の内側２箇所に前後方向に延びた三角柱状の凹部が形成されるので、外箱１０から内箱３を抜き取る操作を容易に行うことができる。
【００７１】
（水位確認窓の構成）
この実施形態では、外箱１０はその全体が不透明な素材で形成され、内箱３はその全体が透明な素材で形成されている。図１などに示すように、外箱１０の一部には内箱３の貯水部６Ｈ，６Ｖにおける水位を外部から確認するための水位確認窓１５Ａ，１５Ｂが貫通形成されている。
【００７２】
水位確認窓１５Ａ，１５Ｂは、第１貯水部６Ｈに対応する部位に設けられた第１水位確認窓１５Ａと、第２貯水部６Ｖに対応する部位に設けられた第２水位確認窓１５Ｂとであり、いずれも使用する姿勢において上下に延びた長円形を呈している。
【００７３】
少なくとも、横置き姿勢用の第１水位確認窓１５Ａは、下は第１貯水部６Ｈの底面の高さ（略ゼロレベル）から、上はＬ字状の第１側壁部４Ｃの長辺側の上端（満水レベル）の高さまで上下に延びている。縦置き姿勢用の第２水位確認窓１５Ｂは、下は第２貯水部６Ｖの底面（ゼロレベル）よりも若干上の高さから、上はＬ字状の第１側壁部４Ｃの短辺側の上端（満水レベル）よりも若干上の高さまで上下に延びているが、これも第１水位確認窓１５Ａと同様の構成としてもよい。
【００７４】
内箱３の外側表面の一部には、水平に延びた直線状の水位指標９Ａ，９Ｂが、標準的な水位を示す手段として外向きに突出形成されている。水位指標９Ａ，９Ｂは対応する水位確認窓１５Ａ，１５Ｂの上下の中心よりも幾分上方に設けられており、横置き姿勢及び縦置き姿勢において、水位確認窓１５Ａ，１５Ｂから見える植栽用水Ｗの水面が水位指標９Ａ，９Ｂ付近にあれば、植栽用水Ｗが内箱３の第１側壁部４Ｃから外にオーバーフローする虞はない。
【００７５】
図９に例示するように、縦置き姿勢において第２水流制御片７Ｂの下端の補助延長部７Ｂｅを下向きに離れて移動する植栽用水の流れを制御する手段として、補助延長部７Ｂｅと対向するように配置された第６水流制御片７Ｆを設けてもよい。
第６水流制御片７Ｆは、縦置き姿勢において、第２壁部１２Ｂの内面の補助延長部７Ｂｅよりも下方の部位から、内箱３の第２貯水部６Ｖの一部に向かって、斜め下向きに延びた矩形の平板状を呈しており、
第６水流制御片７Ｆも、正面部１１の裏面から他の第２水流制御片７Ｂなどと同等の長さで軸芯Ｘと平行に延びており、縦置き姿勢における第６水流制御片７Ｆの下端は、第５水流制御片７Ｅの補助延長部７Ｅｐと、内箱３の傾斜した第４側壁部４Ｆの上端との中間付近に位置している。
【００７６】
〔別実施形態〕
〈１〉外箱１０の正面部１１や筒状部１２の外形は、必ずしも長方形ではなく正方形でもよいし、五角形などの多角形でもよい。また、同外形を円形や楕円形としてもよい。円形や楕円形の場合には、筒状部の外周に姿勢を安定させるための脚部を設けることで机上などの水平面に安定的に載置することが可能となる。但し、もしも脚部を省略しても、上述の第１の実施形態と同様に、内箱３に２つの係止凹部８Ａ、８Ｂを設けておくことで、壁面などに吊下げる展示法が可能であり、この場合も、互いに角度の異なる複数の展示方法が可能となる。
【００７７】
〈２〉必ずしも内箱３を透明な素材で形成する必要はなく、例えば、水位確認窓１５Ａ，１５Ｂに対応する箇所のみを透明状または半透明状に形成し、残りの大半部位が不透明な素材で形成された内箱３としてもよい。
【００７８】
〈３〉必ずしも２つの潅水孔１３Ａ，１３Ｂを互いに独立した状態で設ける必要はなく、例えば、筒状部１２の１つの角部に横置き姿勢用と縦置き姿勢用との双方で使用可能な単一の潅水孔を設けてもよい。この場合は、上述の第１の実施形態に記載した横置き姿勢と縦置き姿勢の双方で兼用可能な第１水流制御片７Ａの代わりに、単一の潅水孔の両側に横置き姿勢用と縦横置き姿勢用の２つの第１水流制御片を設けるとよい。
【００７９】
〈４〉必ずしも２つの水位確認窓１５Ａ，１５Ｂを互いに独立した状態で設ける必要はなく、例えば、筒状部１２の１つの角部を挟む２面に横置き姿勢用の水位確認窓部と縦置き姿勢用の水位確認窓部とが連続的に延びた単一の水位確認窓としてもよい。尚、外箱１０を透明な素材で形成している場合には特に水位確認窓を貫通形成する必要はない。
【産業上の利用可能性】
【００８０】
吸水性の植栽床材を収納可能な内箱と、内箱に収納された植栽床材を露出可能な状態で内箱に外嵌される外箱とを有する植栽容器に従来見られた課題を解決するための技術として利用可能な発明である。
【符号の説明】
【００８１】
１      植栽装置
２      植栽容器
３      内箱
４Ｄ    第２側壁部（閉鎖板部）
４Ｅ    第３側壁部（傾斜した側壁部）
４Ｆ    第４側壁部（傾斜した側壁部）
６Ｈ    第１貯水部（貯水部）
６Ｖ    第２貯水部（貯水部）
７Ａ    第１水流制御片（水流制御片）
７Ｂ    第２水流制御片（水流制御片）
７Ｃ    第３水流制御片（水流制御片）
７Ｅ    第５水流制御片（水流制御片）
１０    外箱
１１    正面部
１１Ａ  開口部
１２    筒状部
１３Ａ  第１潅水孔（潅水孔）
１３Ｂ  第２潅水孔（潅水孔）
１５Ａ  第１水位確認窓（水位確認窓）
１５Ｂ  第２水位確認窓（水位確認窓）
３０    植栽床材
Ｗ      植栽用水
Ｘ      軸芯
【図１】
2014093966.tif 000003
【図２】
2014093966.tif 000004
【図３】
2014093966.tif 000005
【図４】
2014093966.tif 000006
【図５】
2014093966.tif 000007
【図６】
2014093966.tif 000008
【図７】
2014093966.tif 000009
【図８】
2014093966.tif 000010
【図９】
2014093966.tif 000011